(57)【特許請求の範囲】
【請求項１】
コンピュータ制御部と、表示制御手段と、通信手段と、遊戯者によって操作される操作入力部とを備えたコンピュータ装置上で実行されるように構成されたコンピュータプログラムであって、
前記コンピュータ装置が、他の複数のコンピュータ装置とネットワークを介して接続されているとき、前記コンピュータプログラムの実行により前記コンピュータ装置に、
（ａ）表示制御手段に接続された表示部に複数の表示フィールドを配置表示する処理と、
（ｂ）前記表示フィールドのいずれか一つを、当該ゲーム装置を操作する遊戯者の操作に応じて行われるゲームプレイを表示する画面に割り当てる処理と、
（ｃ）他の表示フィールドを、前記他のコンピュータ装置を操作する遊戯者の操作に応じて行われるゲームプレイを前記他のコンピュータ装置から送られてくるデータに基き表示する画面にそれぞれ割り当てる処理と、
（ｄ）前記複数の表示フィールドを少なくとも二組に分け、各組の表示フィールドに表示されるゲームプレイを互いに連携させ、前記組の間で対戦させるゲームプレイとして設定する処理と、
（ｅ）前記連携して実行されるいずれかの組でのゲームプレイにより、それぞれの表示フィールドに所定の条件を同時発生させたとき、前記所定の条件になった組の表示フィールドを強調表示する処理と、
を実行させるように構成されたコンピュータプログラム。
【請求項２】
前記コンピュータ装置はそれぞれ、上下に配置された第１及び第２の横長表示部を備えたゲーム装置であり、前記複数の表示フィールドは４つの表示フィールドで構成され、そのうち２つは第１横長表示部に他の２つは第２横長表示部にそれぞれ配置され、前記横長表示部に配置された２つの表示フィールドがそれぞれ連携する表示プレイとして設定される構成の請求項１記載のコンピュータプログラム。
【請求項３】
上下に配置された第１及び第２の横長表示部と、通信手段と、コンピュータ制御部と、遊戯者によって操作される操作入力部とを備えたゲーム装置上で実行されるように構成されたコンピュータプログラムであって、
前記ゲーム装置が、他の複数のゲーム装置とネットワークを介して接続されているとき、前記コンピュータプログラムの実行により前記ゲーム装置に、
（ａ）前記横長表示部のそれぞれに複数の表示フィールドを配置表示する処理と、
（ｂ）前記表示フィールドのいずれか一つを、当該ゲーム装置を操作する遊戯者の操作に
応じて行われるゲームプレイを表示する画面に割り当てる処理と、
（ｃ）他の表示フィールドを前記他のゲーム装置を操作する遊戯者の操作に応じて行われるゲームプレイを前記他のゲーム装置から送られてくるデータに基き表示する画面にそれぞれ割り当てる処理と、
（ｄ）前記表示フィールドをすくなくとも二組に分け、各組の表示フィールドで行われるゲームプレイを互いに連携させ、前記組の間で対戦させるゲームプレイとして設定する処理と、
（ｅ）前記連携して実行されるいずれかの組でのゲームプレイにより、それぞれの表示フィールドに所定の条件を同時発生させたとき、前記所定の条件になった組の表示フィールドを強調表示する処理と、
を実行させるように構成されたコンピュータプログラム。
【請求項４】
前記横長表示部のそれぞれに配置された前記表示フィールドがそれぞれ連携するゲームプレイの一組として設定される構成の請求項３記載のコンピュータプログラム。
【請求項５】
上下に配置された第１及び第２の横長表示部と、通信手段と、コンピュータ制御部と、遊戯者によって操作される操作入力部とを備えたゲーム装置上で実行されるように構成されたコンピュータプログラムであって、
前記ゲーム装置が、他の３台のゲーム装置とネットワークを介して接続されているとき、前記コンピュータプログラムの実行により前記ゲーム装置に、
（ａ）前記横長表示部のそれぞれに表示フィールドを２個配置表示する処理と、
（ｂ）前記表示フィールドのいずれか一つを、当該ゲーム装置を操作する遊戯者の操作に応じて行われるゲームプレイを表示する画面に割り当てる処理と、
（ｃ）その他の前記表示フィールドを、前記他のゲーム装置を操作する遊戯者の操作に応じて行われるゲームプレイを前記他のゲーム装置から送られてくるデータに基き表示する画面にそれぞれ割り当てる処理と、
（ｄ）前記横長表示部のそれぞれに配置された一対の表示フィールドで実行されるゲームプレイを互いに連携するゲームプレイとして設定する処理と、
（ｅ）前記第１の横長表示部で連携して実行されるゲームプレイと前記第２の横長表示部で連携して実行されるゲームプレイとを対戦させるゲームプレイとして設定する処理と、
（ｆ）前記連携して実行されるゲームプレイにより、前記一対の表示フィールドのそれぞれで所定の条件を同時発生させたとき、前記所定の条件になったゲームプレイが行なわれた側の横長表示部における表示フィールドを強調表示する処理と、
を実行させるように構成されたコンピュータプログラム。
【請求項６】
コンピュータ制御される制御部と、表示制御手段と、遊戯者によって操作される少なくとも４個の操作入力部とを備えたコンピュータシステム上で実行されるように構成されたコンピュータプログラムであって、
前記コンピュータプログラムの実行により前記コンピュータシステムに、
（ａ）表示制御手段に接続された表示部に複数の表示フィールドを配置表示する処理と、
（ｂ）前記表示フィールドで実行されるゲームプレイが対応する前記操作入力部からのデータに基づきそれぞれ実行されるように設定する処理と、
（ｃ）前記複数の表示フィールドをすくなくとも二組に分け、各組の表示フィールドで行われるゲームプレイを互いに連携させ、前記組の間での対戦ゲームとして設定する処理と、
（ｄ）前記連携して実行されるいずれかの組でのゲームプレイにより、それぞれの表示フィールドに所定の条件を同時発生させたとき、前記所定の条件になった組の表示フィールドを強調表示する処理と、
を実行させるように構成されたコンピュータプログラム。
【請求項７】
前記連携するゲームプレイとして設定された表示フィールドは、前記ゲームプレイ実行中はそれぞれ互いに離間して並置され、前記強調表示する処理は前記所定の条件になった表示フィールドが移動し接触並置されるものである請求項１乃至６のいずれか記載のコンピュータプログラム。
【請求項８】
前記連携するゲームプレイとして設定された表示フィールドは、前記ゲームプレイ実行中は互いに離間して表示され、前記強調表示する処理は接触並置した表示に切り替わるものである請求項１乃至６のいずれか記載のコンピュータプログラム。
【請求項９】
前記強調表示する処理は、前記所定の条件になった表示フィールドを、それぞれ移動表示させる処理、点滅表示させる処理、相互に接近移動させ並置表示する処理、色彩変化させる処理のいずれかである請求項１乃至６のいずれか記載のコンピュータプログラム。
【請求項１０】
前記各表示フィールドで行われるゲームプレイは、順次発生するオブジェクトの積み上がりを制御するものである請求項１乃至８のいずれか記載のコンピュータプログラム。
【請求項１１】
コンピュータプログラムを実行するコンピュータ制御部と、表示制御手段と、通信手段と、遊戯者によって操作される操作入力部とを備えたコンピュータ装置であって、
前記コンピュータ装置が、他の複数のコンピュータ装置とネットワークを介して接続されているとき、前記コンピュータプログラムの実行により、
（ａ）表示制御手段に接続された表示部に複数の表示フィールドを配置表示する手段と、
（ｂ）前記表示フィールドのいずれか一つを、当該ゲーム装置を操作する遊戯者の操作に
応じて行われるゲームプレイを表示する画面に割り当てる手段と、
（ｃ）他の表示フィールドを、前記他のコンピュータ装置を操作する遊戯者の操作に応じて行われるゲームプレイを前記他のコンピュータ装置から送られてくるデータに基き表示する画面にそれぞれ割り当てる手段と、
（ｄ）前記複数の表示フィールドを少なくとも二組に分け、各組の表示フィールドに表示されるゲームプレイを互いに連携させ、前記組の間で対戦させるゲームプレイとして設定する手段と、
（ｅ）前記連携して実行されるいずれかの組でのゲームプレイにより、それぞれの表示フィールドに所定の条件を同時発生させたとき、前記所定の条件になった組の表示フィールドを強調表示する手段と、
して機能するように構成されたコンピュータ装置。
【請求項１２】
複数のプレーヤが参加するビデオゲームシステムにおけるコンピュータが実行可能なプログラムであって、
前記複数のプレーヤのうち、少なくとも２以上のプレーヤを味方プレーヤのグループとして設定するグループ設定手段と、
前記複数のプレーヤのそれぞれから入力された操作入力信号に基づいて、ゲームの進行を制御するゲーム進行手段と、
前記複数のプレーヤのそれぞれに対応した第１の状態の表示フィールドを設定し、当該第１の状態の表示フィールド内に前記ゲーム進行手段によるゲーム進行に応じたゲームの画像を生成するゲーム画像生成手段としてコンピュータを機能させ、
前記ゲーム進行手段は、
前記グループ設定手段により設定されたグループ内のプレーヤのゲーム進行により、前記グループのプレーヤそれぞれの第１の状態の表示フィールドに所定の条件が同時に発生したか否かを判断し、
前記ゲーム画像生成手段は、
前記ゲーム進行手段によって前記ゲーム進行において前記所定の条件が同時に発生したと判断されたとき、前記グループに対応した第２の状態の表示フィールドを設定し、当該第２の状態の表示フィールド内に前記所定の条件が同時に発生したグループ内のプレーヤのゲーム進行に基づいたゲームの画像を生成することを特徴とするプログラム。
【請求項１３】
コンピュータプログラムを実行するコンピュータ制御部と、表示制御手段と、遊戯者によって操作される少なくとも４個の操作入力部とを備えたコンピュータ装置であって、
前記コンピュータプログラムの実行により、
（ａ）表示制御手段に接続された表示部に複数の表示フィールドを配置表示する手段と、
（ｂ）前記表示フィールドで実行されるゲームプレイが対応する前記操作入力部からのデータに基づきそれぞれ実行されるように設定する手段と、
（ｃ）前記複数の表示フィールドをすくなくとも二組に分け、各組の表示フィールドで行われるゲームプレイを互いに連携させ、前記組の間での対戦ゲームとして設定する手段と、
（ｄ）前記連携して実行されるいずれかの組でのゲームプレイにより、それぞれの表示フィールドに所定の条件を同時発生させたとき、前記所定の条件になった組の表示フィールドを強調表示する手段と、
して機能するように構成されたコンピュータ装置。
【請求項１４】
請求項１乃至１０のいずれか１項記載のコンピュータプログラムを格納したコンピュータ読み取り可能な記憶媒体。
【発明の詳細な説明】
【技術分野】
【０００１】
本発明は、複数の遊戯者が参加して行うコンピュータゲームに関し、特に複数の遊戯者の操作信号に基づくゲームプレイが表示される複数の表示領域が配置されたゲーム画面の表示技術に関する。
【背景技術】
【０００２】
従来より、いわゆる対戦型のビデオゲームシステムにおいてチームを組んで対戦を行うものがあった。各遊戯者毎に個別の表示フィールドが設定され、前記表示フィールド内でゲームの進行制御を行い、協力関係にある複数の遊戯者の操作結果に応じて敵対する遊戯者（制御部の制御する仮想遊戯者を含む）に攻撃を行なうタイプのゲームがある（例えば、特許文献１参照。）。
【先行技術文献】
【特許文献】
【０００３】
【特許文献１】特開２００３−１５４１７３号公報（第１４頁、図３１）
【発明の概要】
【発明が解決しようとする課題】
【０００４】
上記特許文献に挙げた内容では、チームを組むことでの協力関係を関係付けることは可能だが、演出についてはチームならではの協力関係状態を演出として表現するという趣旨では興趣に欠けるという問題があった。
そこで、本発明の目的は、より遊戯者を興奮させ、かつ、効果的にゲームを演出することのできるゲーム装置、ゲームシステム、ゲームプログラム、及び記憶媒体を提供することにある。
【課題を解決するための手段】
【０００５】
上記目的を達成するために、本発明では、コンピュータ制御部と、表示制御手段と、通信手段と、遊戯者によって操作される操作入力部とを備えたコンピュータ装置上で実行されるように構成されたコンピュータプログラムであって、前記コンピュータ装置が、他の複数のコンピュータ装置とネットワークを介して接続されているとき、前記コンピュータプログラムの実行により前記コンピュータ装置に、
（ａ）表示制御手段に接続された表示部に複数の表示フィールドを配置表示する処理と、
（ｂ）前記表示フィールドのいずれか一つを、当該ゲーム装置を操作する遊戯者の操作に応じて行われるゲームプレイを表示する画面に割り当てる処理と、
（ｃ）他の表示フィールドを、前記他のコンピュータ装置を操作する遊戯者の操作に応じて行われるゲームプレイを前記他のコンピュータ装置から送られてくるデータに基き表示する画面にそれぞれ割り当てる処理と、
（ｄ）前記複数の表示フィールドを少なくとも二組に分け、各組の表示フィールドに表示されるゲームプレイを互いに連携させ、前記組の間で対戦させるゲームプレイとして設定する処理と、
（ｅ）前記連携して実行されるいずれかの組でのゲームプレイにより、それぞれの表示フィールドに所定の条件を同時発生させたとき、前記所定の条件になった組の表示フィールドを強調表示する処理と、
を実行させるように構成されたコンピュータプログラムを提供する。
【０００６】
ここで、前記コンピュータ装置はそれぞれ、上下に配置された第１及び第２の横長表示部を備えたゲーム装置であり、前記複数の表示フィールドは４つの表示フィールドで構成され、そのうち２つは第１横長表示部に他の２つは第２横長表示部にそれぞれ配置され、前記横長表示部に配置された２つの表示フィールドがそれぞれ連携する表示プレイとして設定されるコンピュータプログラムでもよい。
【０００７】
また、本発明では、上下に配置された第１及び第２の横長表示部と、通信手段と、コンピュータ制御部と、遊戯者によって操作される操作入力部とを備えたゲーム装置上で実行されるように構成されたコンピュータプログラムであって、前記ゲーム装置が、他の複数のゲーム装置とネットワークを介して接続されているとき、前記コンピュータプログラムの実行により前記ゲーム装置に、
（ａ）前記横長表示部のそれぞれに複数の表示フィールドを配置表示する処理と、
（ｂ）前記表示フィールドのいずれか一つを、当該ゲーム装置を操作する遊戯者の操作に
応じて行われるゲームプレイを表示する画面に割り当てる処理と、
（ｃ）他の表示フィールドを前記他のゲーム装置を操作する遊戯者の操作に応じて行われるゲームプレイを前記他のゲーム装置から送られてくるデータに基き表示する画面にそれぞれ割り当てる処理と、
（ｄ）前記表示フィールドをすくなくとも二組に分け、各組の表示フィールドで行われるゲームプレイを互いに連携させ、前記組の間で対戦させるゲームプレイとして設定する処理と、
（ｅ）前記連携して実行されるいずれかの組でのゲームプレイにより、それぞれの表示フィールドに所定の条件を同時発生させたとき、前記所定の条件になった組の表示フィールドを強調表示する処理と、
を実行させるように構成されたコンピュータプログラムでもよい。
【０００８】
ここで、前記横長表示部のそれぞれに配置された前記表示フィールドがそれぞれ連携するゲームプレイの一組として設定されるコンピュータプログラムでもよい。
【０００９】
また本発明では、上下に配置された第１及び第２の横長表示部と、通信手段と、コンピュータ制御部と、遊戯者によって操作される操作入力部とを備えたゲーム装置上で実行されるように構成されたコンピュータプログラムであって、前記ゲーム装置が、他の３台のゲーム装置とネットワークを介して接続されているとき、前記コンピュータプログラムの実行により前記ゲーム装置に、
（ａ）前記横長表示部のそれぞれに表示フィールドを２個配置表示する処理と、
（ｂ）前記表示フィールドのいずれか一つを、当該ゲーム装置を操作する遊戯者の操作に応じて行われるゲームプレイを表示する画面に割り当てる処理と、
（ｃ）その他の前記表示フィールドを、前記他のゲーム装置を操作する遊戯者の操作に応じて行われるゲームプレイを前記他のゲーム装置から送られてくるデータに基き表示する画面にそれぞれ割り当てる処理と、
（ｄ）前記横長表示部のそれぞれに配置された一対の表示フィールドで実行されるゲームプレイを互いに連携するゲームプレイとして設定する処理と、
（ｅ）前記第１の横長表示部で連携して実行されるゲームプレイと前記第２の横長表示部で連携して実行されるゲームプレイとを対戦させるゲームプレイとして設定する処理と、
（ｆ）前記連携して実行されるゲームプレイにより、前記一対の表示フィールドのそれぞれで所定の条件を同時発生させたとき、前記所定の条件になったゲームプレイが行なわれた側の横長表示部における表示フィールドを強調表示する処理と、
を実行させるように構成されたコンピュータプログラムを提供する。
【００１０】
また本発明では、コンピュータ制御される制御部と、表示制御手段と、遊戯者によって操作される少なくとも４個の操作入力部とを備えたコンピュータシステム上で実行されるように構成されたコンピュータプログラムであって、前記コンピュータプログラムの実行により前記コンピュータシステムに、
（ａ）表示制御手段に接続された表示部に複数の表示フィールドを配置表示する処理と、
（ｂ）前記表示フィールドで実行されるゲームプレイが対応する前記操作入力部からのデータに基づきそれぞれ実行されるように設定する処理と、
（ｃ）前記複数の表示フィールドをすくなくとも二組に分け、各組の表示フィールドで行われるゲームプレイを互いに連携させ、前記組の間での対戦ゲームとして設定する処理と、
（ｄ）前記連携して実行されるいずれかの組でのゲームプレイにより、それぞれの表示フィールドに所定の条件を同時発生させたとき、前記所定の条件になった組の表示フィールドを強調表示する処理と、
を実行させるように構成されたコンピュータプログラムを提供する。
【００１１】
ここで、前記連携するゲームプレイとして設定された表示フィールドは、前記ゲームプレイ実行中はそれぞれ互いに離間して並置され、前記強調表示する処理は前記所定の条件になった表示フィールドが移動し接触並置されるものであるコンピュータプログラムでもよい。
【００１２】
さらに前記連携するゲームプレイとして設定された表示フィールドは、前記ゲームプレイ実行中は互いに離間して表示され、前記強調表示する処理は接触並置した表示に切り替わるものであるコンピュータプログラムでもよい。
【００１３】
さらに、前記強調表示する処理は、前記所定の条件になった表示フィールドを、それぞれ移動表示させる処理、点滅表示させる処理、相互に接近移動させ並置表示する処理、色彩変化させる処理のいずれかであるコンピュータプログラムでもよい。
【００１４】
さらに、前記各表示フィールドで行われるゲームプレイは、順次発生するオブジェクトの積み上がりを制御するものであるコンピュータプログラムでもよい。
【００１５】
また、複数のプレーヤが参加するビデオゲームシステムにおけるコンピュータが実行可能なプログラムであって、
前記複数のプレーヤのうち、少なくとも２以上のプレーヤを味方プレーヤのグループとして設定するグループ設定手段と、
前記複数のプレーヤのそれぞれから入力された操作入力信号に基づいて、ゲームの進行を制御するゲーム進行手段と、
前記複数のプレーヤのそれぞれに対応した第１の状態の表示フィールドを設定し、当該第１の状態の表示フィールド内に前記ゲーム進行手段によるゲーム進行に応じたゲームの画像を生成するゲーム画像生成手段としてコンピュータを機能させ、
前記ゲーム進行手段は、
前記グループ設定手段により設定されたグループ内のプレーヤのゲーム進行により、前記グループのプレーヤそれぞれの第１の状態の表示フィールドに所定の条件が同時に発生したか否かを判断し、
前記ゲーム画像生成手段は、前記ゲーム進行手段によって前記ゲーム進行において前記所定の条件が同時に発生したと判断されたとき、前記グループに対応した第２の状態の表示フィールドを設定し、当該第２の状態の表示フィールド内に前記所定の条件が同時に発生したグループ内のプレーヤのゲーム進行に基づいたゲームの画像を生成することを特徴とするプログラムであってもよい。
【００１６】
上記目的を達成するために、本発明では、コンピュータプログラムを実行するコンピュータ制御部と、表示制御手段と、通信手段と、遊戯者によって操作される操作入力部とを備えたコンピュータ装置であって、前記コンピュータ装置が、他の複数のコンピュータ装置とネットワークを介して接続されているとき、前記コンピュータプログラムの実行により、
（ａ）表示制御手段に接続された表示部に複数の表示フィールドを配置表示する手段と、
（ｂ）前記表示フィールドのいずれか一つを、当該ゲーム装置を操作する遊戯者の操作に
応じて行われるゲームプレイを表示する画面に割り当てる手段と、
（ｃ）他の表示フィールドを、前記他のコンピュータ装置を操作する遊戯者の操作に応じて行われるゲームプレイを前記他のコンピュータ装置から送られてくるデータに基き表示する画面にそれぞれ割り当てる手段と、
（ｄ）前記複数の表示フィールドを少なくとも二組に分け、各組の表示フィールドに表示されるゲームプレイを互いに連携させ、前記組の間で対戦させるゲームプレイとして設定する手段と、
（ｅ）前記連携して実行されるいずれかの組でのゲームプレイにより、それぞれの表示フィールドに所定の条件を同時発生させたとき、前記所定の条件になった組の表示フィールドを強調表示する手段と、
して機能するように構成されたコンピュータ装置を提供する。
【００１７】
上記目的を達成するために、本発明では、コンピュータプログラムを実行するコンピュータ制御部と、表示制御手段と、遊戯者によって操作される少なくとも４個の操作入力部とを備えたコンピュータ装置であって、前記コンピュータプログラムの実行により、
（ａ）表示制御手段に接続された表示部に複数の表示フィールドを配置表示する手段と、
（ｂ）前記表示フィールドで実行されるゲームプレイが対応する前記操作入力部からのデータに基づきそれぞれ実行されるように設定する手段と、
（ｃ）前記複数の表示フィールドをすくなくとも二組に分け、各組の表示フィールドで行われるゲームプレイを互いに連携させ、前記組の間での対戦ゲームとして設定する手段と、
（ｄ）前記連携して実行されるいずれかの組でのゲームプレイにより、それぞれの表示フィールドに所定の条件を同時発生させたとき、前記所定の条件になった組の表示フィールドを強調表示する手段と、
して機能するように構成されたコンピュータ装置を提供する。
【００１８】
上記目的を達成するために、本発明では、上記記載のコンピュータプログラムを格納したコンピュータ読み取り可能な記憶媒体を提供する。
【発明の効果】
【００１９】
以上の通り本発明は、少なくとも４人のプレイヤが参加するチーム対戦を行う対戦ゲームにおいて、ゲーム画面に各プレイヤに対応してそれぞれが操作する独立したフィールドを複数（４人プレイヤの場合二組）表示し、ゲームプレイ進行において組として設定された複数の（４人プレイヤの場合一対の）フィールドにおけるゲームプレイが所定条件に至ったとき、当該組のフィールドに対し強調表示を行う演出により、連携してプレイを行っていることを実感させることで興趣溢れるゲームプログラムを提供できる。
【図面の簡単な説明】
【００２０】
【図１】本発明の実施形態１におけるゲーム処理装置のブロック図である。
【図２】本発明の複数のゲーム装置を接続した模式図である。
【図３】本発明の実施形態の画面表示を説明する図である。
【図４】表示フィールドの強調処理の画像表示例を説明する図である。
【図５】本発明のゲーム装置の全体の動作処理のフローチャートである。
【図６】ゲーム中の基本ルーチン処理を示すフローチャートである。
【図７】ゲーム中に条件を満たした場合のフィールドの強調表示処理のフローチャートである。
【図８】本発明の請求項に対応した機能ブロック図である。
【発明を実施するための形態】
【００２１】
以下、本発明の構成を図面に示す実施形態の一例について詳細に説明する。なお、以下に説明する本実施形態は、特許請求の範囲に記載された本発明の内容を不当に限定するものではない。また、本実施形態にて説明される構成の全てが、本発明の必須構成要件であるとは限らない。
【実施例】
【００２２】
（第１の実施例）
図１に、本発明を適用した実施の形態のゲーム処理装置のブロック図を示す。 当該実施例では、複数の遊戯者がそれぞれ通信可能な携帯型ゲーム装置であるゲーム装置を操作してゲーム進行を行うものを説明する。
【００２３】
図１において、ゲーム装置は、各種制御を行なう制御部１と、ゲームの画像を表示する表示装置としてのモニタ２と、ゲームの挙動に応じた効果音などを発生するスピーカ３と、遊戯者による操作入力を受け付ける入力装置としての方向キーやボタンなどを含む操作入力装置４と、電子遊戯用の情報資源として、制御部１とゲームプログラムやデータ（映像・音楽データも含む）のやり取りを行なう為の各種情報が格納された外部記憶媒体５を備えて構成されている。
【００２４】
また、制御部１は、全ての制御部の統制を行なう中央処理装置であるＣＰＵ１０が、バスコントローラ１６を介して、ディスプレイコントローラ１１、サウンドコントローラ１２、入出力インタフェイス（Ｉ／Ｆ）コントローラ１３とそれぞれ接続されている。
【００２５】
ＣＰＵ１０はバスコントローラ１７を介してＲＯＭ１５よりゲーム装置を起動するときに必要な起動プログラムやデータを読み込む。ＲＯＭ１５には前記起動プログラムやデータが格納されており、ＣＰＵ１０は起動プログラムを実行してゲーム装置を立ち上げる。外部記憶媒体５は例えばＩＣカードやカートリッジ形態でゲームプログラムを格納しており、ゲーム装置に着脱可能に装着される。
ゲーム装置が起動後、ＣＰＵ１０はバスコントローラ１７を介して外部記憶媒体５からゲームの実行や関連する制御処理に必要なプログラム及びデータを読み出し、同じくバスコントローラ１７を介してＲＡＭ１４上に展開する。以降、ＲＡＭ１４上ではゲームの進行やその他ＣＰＵ１０が制御処理を行うのに必要なプログラムやデータの読み書きが行なわれる。
【００２６】
ＣＰＵ１０で演算処理された画像データは、バスコントローラ１７を介してディスプレイコントローラ１１に送られる。ディスプレイコントローラ１１は表示データをモニタ２に送りゲーム画面等の表示を制御する。またＣＰＵ１０で演算処理された音声データは、同じくバスコントローラ１７を介してサウンドコントローラ１２に送られ、サウンドコントローラ１２は音声データをスピーカ３に送り音声を出力する。
【００２７】
ＣＰＵ１０は、バスコントローラ１７を介して、入出力インタフェース（Ｉ／Ｆ）コントローラ１３を制御する。入出力インタフェース（Ｉ／Ｆ）コントローラ１３は定期的に操作入力装置４からの入力操作信号の有無を監視し、操作入力装置４からの操作入力信号の読み出しを実行する。入出力インタフェース（Ｉ／Ｆ）コントローラ１３は、シリアル・パラレル変換を行なわれた操作入力装置４からの信号をバスコントローラ１７を介してＣＰＵ１０に送信する。
【００２８】
ゲーム装置はまた通信インタフェース（Ｉ／Ｆ）１６を備えており、制御部１は通信インタフェース（Ｉ／Ｆ）１６に接続された通信ネットワークを介して他のゲーム装置と情報の授受を行い、他の遊戯者の操作するゲーム装置との間で、操作情報・ゲーム進行状況を通信ネットワークによってデータの送信・受信を行なう。
【００２９】
図２には本件における複数ゲーム装置を接続した模式図を示す。ゲーム装置を複数台用いて複数の遊戯者間でゲームを展開するに際しては、複数台のゲーム装置２０１〜２０４を、通信ネットワーク２０５を介して互いに接続し、各ゲーム装置２０１〜２０４間でデータの授受を行うことで、各遊戯者間でゲームを展開することができる。
この場合、各ゲーム装置２０１〜２０４における各ＣＰＵ１０は、他の遊戯者によって操作される操作入力装置４からの操作信号を、通信ネットワーク２０５を介して取り込み、取り込んだ他の遊戯者のゲームの進行状況の再生するデータをゲームプログラムに基づいて処理し、この処理結果を出力するための処理を実行するデータ処理装置としても機能することになる。
【００３０】
また、各ゲーム装置２０１〜２０４間の通信は、サーバを介して行う他、サーバを介さずに行うこともできる。
【００３１】
なお、本発明のプログラムを実行するゲーム装置は、ゲーム装置同士を通信ネットワークによって接続して複数人のプレーヤでゲームを行なうものの他、１台のゲーム装置に複数人分の操作入力装置が接続され、ゲーム装置に接続されたディスプレイに各プレーヤに対応したゲーム画像をまとめて表示するようにしたものであっても良い。
具体的には、据え置き型家庭用ゲーム装置、業務用ビデオゲーム装置、携帯型ゲーム装置、パーソナルコンピュータなどのほか、ゲームプログラムを実行させることが可能な携帯電話、ＰＤＡ、スマートフォンなども含まれる。
【００３２】
（ゲーム画面の説明）
図３は、モニタ２に表示される本実施形態の対戦型落下式パズルゲームにおける、主ゲーム画面の概観図である。図３は、プレイヤ１の操作するゲーム装置２０１に表示される画面であって、プレイヤ１とプレイヤ２が、プレイヤ３とプレイヤ４がそれぞれペアとなってチームを組んだ画面である。
【００３３】
これらの画面には、ゲーム装置２０１を利用する遊戯者（プレイヤ１）の操作による遊戯者フィールド３０１とともに、他のゲーム装置２０２〜２０４と通信回線で接続されたゲーム装置を操作する他の遊戯者（プレイヤ２〜４）に割り当てられたフィールド３０２〜３０４が表示されるようになっている。
【００３４】
これらフィールドは、ペアとなる遊戯者に対応するフィールド３０１と３０２とは左右に離間した状態で配置され、別のペアとなる遊戯者に対応するフィールド３０３と３０４も互いに左右に離間した状態で配置される。
この実施例では、プレイヤ１・プレイヤ２を一つのチーム、プレイヤ３・プレイヤ４をもう一つのチームとして、それぞれのプレイヤの表示フィールドにおいてオブジェクトがフィールド上辺まで積みあがってしまうことで、各チームごとで共有されるライフポイントが１つ失われることになる。
【００３５】
プレイヤ１・プレイヤ２のチームライフポイント３０５、プレイヤ３・プレイヤ４のチームライフポイント３０６として、それぞれライフポイントが三点ずつ設定されている。各プレイヤは個人（この場合ペアはCPUが担当する）又はチームメンバーに設定されたプレイヤと協同してオブジェクトを消滅させ、消滅させたオブジェクトの個数、及び連続して消滅させた回数に応じて相手方チームの各プレイヤフィールドに障害物オブジェクトを発生させ、相手チームのライフポイントをゼロにすることを目的とする。
【００３６】
具体的には、各プレイヤ１〜４に対して対応する表示フィールドが予め割り当てられており、制御プログラムに従って表示制御手段を介して表示画面に配置表示する。各表示フィールド上部から不規則に発生するオブジェクトは、時間の経過とともに降下する。各プレイヤによりオブジェクトの左右方向への移動指令または回転指令が入力されると、降下中のオブジェクトは移動または回転を行い、すでに配置されているオブジェクト群上にオブジェクトを堆積させる。オブジェクトを配置した時点で、同種類のオブジェクト（例えば、同色のもの）が所定数以上隣接していた場合、それらのオブジェクトを消滅させる（ブロックの揃い消し）。また、積層されたオブジェクト群の最上段のオブジェクトが、表示フィールド上辺に到達すると、その遊戯者のミスとなり、該当する遊戯者の所属するチームのライフポイントが１減算され、チームのライフポイントがゼロとなると敗北となりゲームは終了する。
【００３７】
制御部は、相手チームによって攻撃処理が行われた場合、配置されているオブジェクト群上に障害物オブジェクトを降下させる。この障害物オブジェクトは、上下左右に隣接するオブジェクトについて消滅（揃い消し）が行われなければ、表示フィールド上にそのまま堆積し、対戦相手によるオブジェクトの消滅（揃い消し）を妨げることができる。
【００３８】
本実施例での内容は基本的に遊戯者４人で対戦するゲームだが、３人以下で遊ぶ場合には、不足分側の操作領域である表示フィールドの操作をＣＰＵが担当することになる。
【００３９】
各遊戯者は、ゲーム開始時に２名ずつのペアによるチームを組んでゲームを行う。ゲーム開始時には、各チーム毎に３つのライフポイントが付与される。
【００４０】
ペアによるゲームでは、隣り合った表示フィールドの領域同士でそれぞれの遊戯者が独立して落ち物ゲームを行い、お互いに同時にオブジェクトの消去が３連鎖以上成立することで、互いの表示フィールドが互いに近づき連鎖演出が挿入されるシンクロ連鎖が発生する。お互い２つの表示フィールドが平行移動して中央に寄り、２つの表示フィールドがひとつの合体した領域となってフィールド中央に「シンクロれんさ」と表示され連鎖が開始される。これにより2人の表示フィールドは中央に移動して合体し、連鎖は同時に行われ、連鎖するオブジェクトは同時に消される。そして障害物オブジェクト（お邪魔ブロックとも呼ばれる）を対戦している他の表示フィールドの領域に送ることができる。
【００４１】
シンクロ連鎖では、実際には表示フィールドの領域の壁がない状態とはなんらゲーム内容は変わらないものの、互いの表示フィールドの領域の壁がなくなっただけで、視覚的に領域がひとつになって見えるのでペアとしての遊戯者同士の一体感が生じる。そして2人のシンクロ連鎖が終了すると互いの表示フィールドはもとの状態の壁のある独立した表示フィールドの位置に平行移動して戻る。
【００４２】
上記シンクロ連鎖の特徴は、ペアが同一時間に所定条件（４連鎖）を同時発生させるというようにシンクロ操作を行うことである。それにより敵対する相手の表示フィールドの領域に２人分の障害物オブジェクトを降らす攻撃を行うことで、相手チームを窮地に追い詰めることにある。
【００４３】
上述の消去（オブジェクトの揃い消し）が、一度のオブジェクト配置で複数回行われると、対戦相手の表示フィールド上部に障害物オブジェクトが発生する。具体的には、すでに配以上の説明は、一般的なチーム対戦パズルの構成と重複する。
このような障害物オブジェクトの挿入処理は、どのようにオブジェクトを配置すれば、より多くの連続的な消滅（連鎖）を行えるかをプレイヤに考えさせるため、プレイヤの思考・分析が要求される対戦型パズルゲームを実現することができる。
【００４４】
図４は、プレイヤ１とプレイヤ２が表示フィールド401,402の合体条件を満たし、後述する表示フィールド強調表示処理が行われた状態を示す画面の表示例である。
【００４５】
（全体フロー）
以下、本発明のその他の新機能を適用したゲーム全体の流れを、図５のフローチャートを用いて説明する。以下に、通常のゲーム開始時の流れについて説明する。
【００４６】
本編の処理では、ステップS１０１で遊戯者の操作入力装置からの対戦開始操作に基づいて制御部はゲームの対戦開始処理を行う。
ここでは、制御部１は対戦ゲームを行うにあたっての処理を行う。具体的には、まず、各遊戯者別の難易度の選択、使用キャラクタの選択が遊戯者により操作入力装置を介して制御部に対し行なわれる。
【００４７】
本件実施例では２名ペアでチームを組んで、２組のチームによって計４名での対戦を行うという内容のため、各遊戯者、及び制御部が遊戯を代行するＣＰＵプレイヤのチーム分けについて設定が行なわれる。
【００４８】
次にステップ１０２では、ゲーム開始後の制御装置の処理単位時間毎の各処理についての通常プレイ処理が行われる。この通常プレイ処理は、更に細かい幾つかの処理に分かれ、具体的には別途図６のフローを用いて説明する。
【００４９】
次に、制御部１は前記ステップＳ２０５において演算された消滅演算情報を元にどのようなチーム（ある遊戯者とそのペアとなったもう一名の遊戯者によるチーム）の消滅演出を行うかの判断を行い、その判断結果に応じた各種演出処理を行う。
【００５０】
具体的には、先ずステップＳ１０３にて、ペアの相手がその時点で消滅条件を満たしているか、ペア相手が消滅条件を満たしていた場合には、自分及びペア相手の連続して行なわれた消滅の回数（連鎖数）が所定回数以上かを判断する。
【００５１】
ここで、所定の連鎖数（例えば、自分・ペア相手とも三連鎖以上を条件とした場合、連鎖数２回以下）を越えていなかった場合は、特に特殊な演出処理は行われず、ステップＳ１０５に進み、通常のオブジェクト消滅処理演出（通常消滅処理）が行なわれる。ここでは自分・ペア相手の連鎖数を同数に限定してもよいし、また自分・ペア相手ともに所定数以上であれば同数で無くとも強調表示を行う仕様としても良い。所定の連鎖数を越えたと判定された場合にはステップＳ１０４に進む。
【００５２】
ステップＳ１０４では、当該消滅処理が行われた時点で、チームを組んだペア相手が消滅条件を満たしたタイミングの時間差が所定時間差以内か否かの判断を行なう。例えば、３０フレーム（６０分の３０秒、即ち０．５秒）以内か否かを判定基準とした場合で以下説明する。ペア相手も所定回数以上の連鎖消滅を発生させていたが、消滅発生時間の開始時間が０．５秒よりも差があった場合にはステップＳ１０６に進み、自分とペア相手の消滅回数を加算して、相手チームへの攻撃を行なう。
【００５３】
また、連鎖消滅開始時間が所定時間差以内だった場合には、ステップＳ１０７に進み、自分とペア相手のフィールドの強調表示処理を行う。
【００５４】
ステップＳ１０８は、ステップＳ１０５，Ｓ１０６，Ｓ１０７の何れもの処理を受けて、制御部１はその時点でのゲーム進行状況から、いずれかのチームが勝利又は敗北したかの判定を行い、勝敗が決定したと判定された場合にはゲームオーバー判定を行う。
【００５５】
具体的には、チーム毎に設定されたライフポイント（例えば、ライフポイントの初期数値は３、チームメンバーの何れかがフィールド上辺までオブジェクト到達してしまった場合には数値を減算する）が全て失われたか否かを判定し、ステップＳ１０９に進む。
【００５６】
もしもゲームオーバーに至らない場合には、ステップＳ１０２に戻り、以下ゲームオーバーになるまで処理を繰り返す。
【００５７】
そしてゲームオーバーになった際にはステップＳ１０９に進み、制御部１は勝敗結果に基づき、対戦終了処理を行う。具体的には、自分が勝者チームだった場合には勝利画面を表示したり、対戦成績の勝利数を加算する等の処理を行う。逆に、自分が敗者チームだった場合には、敗北画面を表示したり、対戦成績の敗北数を加算する等の処理を行い、対戦ゲーム処理を終了する。
【００５８】
（基本ルーチン処理）
ステップＳ１０３の詳細の流れを、図６のフローチャートを用いて説明する。
【００５９】
ステップＳ２０１では、通常プレイ処理として、制御部１は各遊戯者の各々に割り当てられたフィールドの上部にオブジェクトの発生処理を行う。
【００６０】
次にステップＳ２０２では各プレイヤの操作入力に対応し、制御部１はフィールド内でのオブジェクトの移動・回転等の操作の処理を行う。
【００６１】
そしてステップＳ２０３に進み、制御部１は操作オブジェクトがフィールド上のどの場所にどのようにオブジェクトが置かれたかを単位計算時間（本実施例では１フレームと呼ばれる、６０分の１秒）内での演算を行い、オブジェクトが着地・フィールド上に固定されたか否かの判断を行う。
【００６２】
ここで、まだ着地していないと制御部１に判定された場合にはステップＳ２０２に戻り、オブジェクト操作処理が行われる。
【００６３】
制御部１がオブジェクトが着地したと判定した場合には、次ステップＳ２０４に進む。
【００６４】
そしてステップＳ２０４では、制御部１がオブジェクトの消滅条件を満たしたかの判断を行なう。もし消滅条件を満たしていたと判定された場合には、ステップＳ２０５に進み、そうでない（消滅条件を満たさない）と判定された場合にはステップＳ２０６に進む。
【００６５】
ステップＳ２０５では、制御部１が、ゲームのルールに基づいて、例えば同色のオブジェクトが４つ以上連接した配置で並んだ場合に、堆積オブジェクト群から該当するオブジェクトを消滅させる処理を行う。
【００６６】
そして、前記消滅処理を行った後の、残った堆積オブジェクトの配置状況から、更に連続的な消滅（連鎖）が行なえるかどうかを判断し、例えば再び何れかの色のオブジェクトが４つ以上連接した配置があるか否かの判定を行ない、もし連続的な消滅が行なわれる場合は、前記消滅処理（２連鎖、３連鎖、・・・）を繰り返し、以下消滅が行なえなくなるまで制御部１の消滅判定の演算が行われる。
【００６７】
そして、消滅条件を満たしたタイミングである時間情報、及び消滅後のオブジェクトの配列状況から更に連続的な消滅（連鎖）行なえるかどうかの演算結果情報の演算が制御部１によって行なわれる。
【００６８】
ステップＳ２０６は、ステップＳ２０４での消滅条件の判定がＮＯであった場合や、ステップ２０５を処理を受けて、制御部１は各種オブジェクト（表示フィールドの上部から落下してくる発生したオブジェクト、及び他のプレイヤから送られた障害物オブジェクト）が、フィールド上辺まで到達したか否かを判定する。
【００６９】
もし、何れかのプレイヤのオブジェクトがフィールド上辺まで到達していたと制御部１に判定された場合、制御部１は該プレイヤが設定された組のライフポイントを減算し、メイン処理ステップに戻る。
【００７０】
以上、通常プレイ処理ルーチンは終了し、この時点での消滅演算結果情報、及びフィールド上辺到達情報を持ってメイン処理ステップＳ１０３に進む。
【００７１】
（強調表示処理）
ここではステップＳ１０７に上げられた強調表示処理の具体的な処理内容について図７を用いて説明する。
【００７２】
ステップＳ３０１では、先ず、制御部１は、画面上に強調表示演出条件を満たした旨の告知処理を行う。
【００７３】
次にステップＳ３０２では、その後、制御部１は、自分とペア相手のフィールドが通常の表示位置から接触並置した表示に変化する形で強調表示処理を行い、その状態で前記ステップＳ２０５で演算された消滅処理判断結果に基づいて、オブジェクトが連鎖消滅する表示処理を行う。
【００７４】
また、併せて音声などで演出を行っても良い。この実施例では、強調表示処理の条件として、例えば３連鎖以上の同数の連鎖消滅を条件としているので、ペアとなっている２つのフィールドにおいて、それぞれ３連鎖以上のオブジェクト消滅演出を含めた強調表示処理が行われ、それに併せてルールにそって対戦相手であるペアに設定されている２つのフィールドに障害物オブジェクトの出現処理が行われる。
【００７５】
この強調表示処理は、前記所定の条件になった表示フィールドを、通常の位置からそれぞれ移動表示させても、また並置表示に切り替える表示を行っても良い。その他、強調表示すべき各フィールドを点滅表示させる処理、相互に接近移動させ並置表示する処理、色彩変化させる処理などを行っても良い。
【００７６】
その他、強調表示のバリエーションとして、各プレイヤのフィールドの表示を上下方向又は左右方向に振動させたり、また表示装置が立体視に対応したものであれば視界深度を一時的に変化させるなどの演出を行っても良い。
【００７７】
その後ステップＳ３０３では、制御部１は、前記の強調表示演出の解除を行う。具体的には、並べた状態から通常の離間した状態にフィールド表示の形態を戻したり、また点滅表示の停止、色彩変化の終了、立体表示を行っている場合であれば視界深度を通常に戻す処理の実施、フィールドの振動表示処理の終了、などである。
【００７８】
（機能ブロック図説明 図８）
図８には、本願発明を構成する機能ブロック図であり、特に請求項１に沿って図示してある。
【００７９】
コンピュータ装置201にはコンピュータを制御する制御部1があり、コンピュータプログラム記憶部（外部記憶媒体５）に記憶されたコンピュータプログラムに従ってゲーム画像を展開すると共に、遊戯者が操作入力部４を操作することで操作信号を取り込む。さらに他のコンピュータ装置（ゲーム機202,203,204）から通信ネットワーク２０５を介して通信手段１６から他の遊戯者の操作により処理されたデータを制御部１に取り入こむ。
【００８０】
これにより制御部１では、ゲーム画像における各プレイヤーの操作するオブジェクトの動きを制御して、表示制御部１１にてゲーム画像を生成し、モニターである表示部２にゲーム画像として目視可能に表示する。
【００８１】
制御部１は表示部２に表示される複数の表示フィールドを配置する処理を行い、表示制御部１１を介して表示部２に各表示フィールドを所定位置に配置表示する（ａ）。
【００８２】
そして複数の表示フィールドのうち1つをそのコンピュータ装置２０１を操作する遊戯者の操作するゲームを表示する表示フィールドに割り当てる（ｂ）。
【００８３】
残りの表示フィールドは、他の遊戯者が操作する他のコンピュータ装置（ゲーム機２０２，２０３，２０４）からのデータに基く表示フィールドに割り当てる(C)。
【００８４】
隣り合って表示された表示フィールドは味方同士としてペアとして連携し、他の隣り合って表示された表示フィールド同士とは敵対する関係として対戦させるゲームに設定とする処理を行う（ｄ）。
【００８５】
ペア同士で連携してゲームを行い、いずれかのチームのペアが所定の条件になった際に該当するチームのペアの表示フィールドを目立つように強調した表示を行う処理を行うのである（ｅ）。
【００８６】
なお、上述した説明では、他の遊戯者の表示フィールドの表示にあたり、他のコンピュータ装置での他の遊戯者からの操作により処理されたデータを通信ネットワークを介して本コンピュータ装置に取り込んでいるが、操作入力部４にて他の遊戯者がそれぞれ操作入力を行い、各遊戯者の操作信号を制御部１に入力して各表示フィールドのゲーム画像を展開することもできる。
【００８７】
（実施形態２）
また、上述の実施形態では、ネットワークを介して接続された４台のゲーム装置を用いて、それぞれの装置の操作者により入力された指令を取得して、上記の各処理をそれぞれのゲーム装置が協同して実行する形態を記載しているが、上記各処理を、一つの制御部と、一つのモニタと、四組の操作入力装置を備えた４人用ゲーム装置を用いて実現してもよい。
【００８８】
例えばそのゲーム装置は、図１に示す制御部１と、モニタ２と、四名の遊戯者がそれぞれ操作する四組の操作入力装置４ａ、４ｂ、４ｃ、４ｄを備える。４人用ゲーム装置は、制御部１の各手段による上記処理を行い、それぞれの遊戯者に対応した４つのフィールドをモニタ２に表示し、所定条件の可否に応じて各フィールドの強調表示処理を行う。
【００８９】
（実施形態３）
また、上述の実施形態では、図１に示すモニタ２について、二つの横長表示装置を独立して設けて実現しても良い。
【００９０】
具体的には、図３及び図４に示すゲーム画面のうち、下側半分であるプレイヤ１・プレイヤ２のチーム側の画像を横長表示装置・モニタ２ａに、上側半分であるプレイヤ３・プレイヤ４のチーム側の画像を横長表示装置・モニタ２ｂに表示し、それぞれの表示部に配置されたフィールドを連携させて強調表示処理を行う。
【００９１】
（各種パズルゲーム、独立フィールド型アクションゲーム）
また、この発明は、いわゆる落ちもの型パズルゲームを用いて実現した場合について説明したが、例えば、一方の組に設定された何れかの遊戯者のフィールドと、該遊戯者と味方関係に設定されたペア相手である他の遊戯者のフィールドとで独立して、他方の組のプレイヤのエネルギーや得点、ダメージなどのパラメータ値を用いてゲームの勝敗を競うタイプのアクションゲームやシューティングゲームにもこの発明を適用することができる。
【符号の説明】
【００９２】
１    制御部
２    モニタ
３    スピーカ
４    操作入力装置
５    外部記憶媒体
６    ゲームプログラム
１０    ＣＰＵ
１１    ディスプレイコントローラ
１２    サウンドコントローラ
１３    入出力インタフェース（Ｉ／Ｆ）コントローラ
１４    ＲＡＭ
１５    ＲＯＭ
１６    通信インタフェース（Ｉ／Ｆ）
１７    バスコントローラ
２０１    ゲーム装置１
２０２    ゲーム装置２
２０３    ゲーム装置３
２０４    ゲーム装置４
２０５    通信ネットワーク
３０１    プレイヤ１  表示フィールド
３０２    プレイヤ２  表示フィールド
３０３    プレイヤ３  表示フィールド
３０４    プレイヤ４  表示フィールド
３０５    プレイヤ１・プレイヤ２  ライフポイント
３０６    プレイヤ３・プレイヤ４  ライフポイント
４０１    プレイヤ１  表示フィールド
４０２    プレイヤ２  表示フィールド
４０３    プレイヤ３  表示フィールド
４０４    プレイヤ４  表示フィールド
４０５    プレイヤ１・プレイヤ２  ライフポイント
４０６    プレイヤ３・プレイヤ４  ライフポイント
【図１】
0005724575.tif 000002
【図２】
0005724575.tif 000003
【図３】
0005724575.tif 000004
【図４】
0005724575.tif 000005
【図５】
0005724575.tif 000006
【図６】
0005724575.tif 000007
【図７】
0005724575.tif 000008
【図８】
0005724575.tif 000009